(57)【要約】【課題】従来のセキュリティ管理システムにおいては、セキュリティ管理のコストが大きくなる。【解決手段】ビル内において検出された個人識別情報と登録された個人識別データとを照合し、個人認証を行う。この個人識別データは、ビルから離れた場所で、データの登録，変更，抹消などが管理され、ビル外からビル内へ伝送する。【効果】ビル内に管理者を置くこと無くセキュリティを管理できるので、セキュリティ管理のコストが低減する。【選択図】  図１
2004265158.tif 000002
【特許請求の範囲】
【請求項１】
ビル内に設けられる個人識別情報検出装置と、
前記ビル内に設けられ、前記個人識別情報検出装置によって検出された個人識別情報と登録された個人識別データとを照合する第１の情報制御装置と、
前記ビルから離れた場所から、前記個人識別データを前記第１の情報制御装置へ伝送する第２の情報制御装置と、
を備えるセキュリティ管理システム。
【請求項２】
請求項１において、前記第１の情報制御装置を複数備え、前記複数の第１の情報制御装置が互いに通信するセキュリティ管理システム。
【請求項３】
請求項１において、前記個人識別情報検出装置と前記第１の情報制御装置とが、第３の情報制御装置を介して接続されるセキュリティ管理システム。
【請求項４】
ビルから離れた場所から、前記ビルへ個人識別データを伝送する第１のステップと、
伝送された前記個人識別データと、前記ビル内で検出された個人識別情報とを、前記ビル内において照合する第２のステップと、
を有するセキュリティ管理方法。
【発明の詳細な説明】
【０００１】
【発明の属する技術分野】
本発明は、セキュリティ管理システム並びにセキュリティ管理方法に関する。
【０００２】
【従来の技術】
ビルのセキュリティ管理システムとしては、従来、カードリーダによってカードから読み取られた個人識別情報により、入室できる人を検出したら電気錠を開錠するシステムが知られている（例えば、特許文献１参照）。
【０００３】
【特許文献１】
特開平６−８９３９５号公報。
【０００４】
【発明が解決しようとする課題】
従来のセキュリティ管理システムにおいては、ビル内に監視装置を設置するため、管理者が必要である。このため、セキュリティ管理のコストが大きくなるという課題がある。
【０００５】
【課題を解決するための手段】
セキュリティ管理のために、ビル内において検出された個人識別情報と登録された個人識別データとを照合し、個人認証を行う。この個人識別データは、ビルから離れた場所で、データの登録，変更，抹消などが管理される。新規個人識別データが登録されたり、既存の個人識別データが変更されたり抹消されたりした場合は、該当する個人識別データを、ビル外からビル内へ伝送する。
【０００６】
これによれば、ビル内に管理者を置くこと無くセキュリティを管理できるので、セキュリティ管理のコストが低減する。
【０００７】
本発明の他の特徴は、以下の記載より明らかになるであろう。
【０００８】
【発明の実施の形態】
図１は、本発明の１実施例であるセキュリティ管理システムを示す。
【０００９】
複数のビル１０すなわちＡビル，Ｂビル内には、第１の情報制御装置であるビルサーバ１が設置される。各ビルサーバ１は、通信回線１００に接続され、通信回線１００からデータを取り込むとともに、通信回線１００へデータを送出する。各ビル内には、利用者の入室を管理すべき複数の室の入り口付近に、利用者が持つＩＤカードから、個人識別情報としてＩＤ情報を読み取るための個人識別情報検出装置すなわちカードリーダ２（Ｃ／Ｒ）が設けられる。カードリーダ２は、ビルサーバ１に接続され、検出されたＩＤ情報をビルサーバ１へ伝送する。ビルサーバ１は、伝送されたＩＤ情報と、ビルサーバ１が備える記憶装置３に登録された個人識別データであるＩＤデータとを照合する。照合の結果、検出されたＩＤ情報と一致するＩＤデータが登録されている場合、電気錠（図示せず）を開錠するための信号を電気錠制御装置（図示せず）へ伝送する。
【００１０】
ビル１０から離れた場所にはビル１０のセキュリティを管理するセンタ２０が在る。センタ内には、第２の情報制御装置であるセンタサーバ４が設置される。センタサーバ４は、通信回線１００に接続され、通信回線１００からデータを取り込むとともに、通信回線１００へデータを送出する。また、センタサーバ４には、ビル１０の利用者のＩＤデータやそれに付随する各種データを記憶するデータベースであるデータベース５（マスタＤＢ）が接続される。センタサーバ４は、データベース５にＩＤデータなどのデータを登録，変更および抹消することができる。また、センタサーバ４は、データベース５に記憶されたデータを読み出して、このデータを、通信回線１００に送出し、通信回線１００を介してビルサーバ１へ伝送する。そして、ビルサーバ１は、センタサーバ４から伝送されたデータを通信回線１００から取り込んで、記憶装置３に登録する。ビルサーバ１は、記憶装置３に登録されたデータに基づいてビル利用者の個人認証を行う。
【００１１】
本セキュリティ管理システムによれば、ビル内に登録されるデータをビルから離れた場所に在るセンタで管理することができる。このため、ビルに管理者を置く必要が無い。従って、ビル外部の者（例えば、ビル設備保守業者）が、ビル内におけるセキュリティ管理を行うことができる。そのようなビル外部の者からセキュリティ管理サービスを受ければ、ビル内に管理者を置く必要が無くなり、管理コストが低減できる。なお、個人認証はビルサーバによって、ビルサーバの記憶装置に登録されたデータを利用して行われるので、データの管理をビルから離れたセンタで行いながらも、個人認証の処理速度や信頼性が損なわれることは無い。
【００１２】
図２は、ビルサーバの記憶装置およびセンタのデータベースに登録された、ビル利用者のＩＤデータおよびそれに付随するデータ、すなわち個人識別データの一例を示す。各利用者について、ＩＤコード，利用者が入室できる場所を示す入室制限情報および利用者の属性を示す個人属性情報が登録される。入室制限情報には、利用者が入室できる、ビル，室，時間帯を示すデータが含まれる。時間帯を示すデータには、月日や曜日が含まれてもよい。また、個人属性情報には、利用者の氏名，部署および勤務形態（正社員，派遣など）を示すデータが含まれる。図２に示すデータは、図１におけるセンタ２０のデータベース５に登録されてから、センタサーバ４によってビルサーバ１へ伝送される。ＩＤデータ，入室制限情報，個人属性情報の変更や抹消が必要な場合は、まずデータベース５の該当データが変更または抹消される。その後、変更や抹消に関するデータが、センタサーバ４によって、入室制限情報に含まれるビルに関するデータに対応するビル内に設置されたビルサーバ１へ伝送され、ビルサーバ１の記憶装置３に登録された該当データが変更または抹消される。ビルサーバ１は、このようにしてセンタサーバによって登録，変更あるいは抹消されたデータを使用して、ビル利用者の個人認証を行う。なお、図１において、Ａビルの利用者がＢビルに出張する場合、センタへその旨を連絡して、Ｂビルに関して入室制限情報を追加すれば、同じＩＤカードにより出張日にＢビルの室へ入室することが出来る。このように、本実施例のシステムによれば、複数のビルにおけるセキュリティをセンタで一元的に管理することができる。また、ＩＤデータを抹消する場合には、ＩＤカードを紛失した場合を含む。この場合にも、センタヘ連絡すれば、他人によるＩＤカードの不正使用を未然に防ぐことが出来る。
【００１３】
図３は、図１のシステムにおいて実行される、本発明によるセキュリティ管理方法の一例のフローを示す。まず、ビル利用者は、センタへＩＤカードの発行を申請する（ステップＳ１）。センタは、利用者からの申請に基づき、特定のＩＤに対応するＩＤ情報が付与されたＩＤカードを発行すると共に、申請時に利用者から連絡される入室制限情報や個人属性情報をデータベースに登録する（ステップＳ２）。さらに、センタでは、利用者のＩＤに対応するＩＤデータおよび入室制限情報を、入室制限情報が示すビルに設置されたビルサーバへ伝送する（ステップＳ３）。必要ならば、個人属性情報をも伝送してもよい。伝送されたＩＤデータおよび入室制限情報はビルサーバの記憶装置に登録される。ビル利用者がＩＤカードをカードリーダへ投入すると（ステップＳ４）、ビルサーバは検出されたＩＤ情報と記憶装置に登録されたＩＤデータとを照合する（ステップＳ５）。照合の結果、両者が一致すれば電気錠を開錠して利用者が入室することを可能にする。不一致の場合には、センタへ異常信号を発信する。センタは、異常信号を受信したら、自ら該当ビルへ出動したり、ビルの責任者または警備会社などに異常の発生を連絡する。
【００１４】
図４は、図１のシステムにおいて実行される、本発明によるセキュリティ管理方法の他の例のフローを示す。まず、ビル利用者は、センタへ登録情報の変更（ＩＤカードの解約や紛失を含む）を届け出る（ステップＳ１）。センタは、利用者からの届け出に基づき、データベースに登録された入室制限情報または個人属性情報を修正したり、あるいはＩＤデータを抹消する（ステップＳ２）。さらに、センタでは、修正された情報あるいはＩＤデータ抹消に関する情報を、入室制限情報が示すビルに設置されたビルサーバへ伝送する（ステップＳ３）。伝送された情報はビルサーバの記憶装置に登録されるか、または記憶装置に既登録のＩＤデータが消去される。そして、図３のフローと同様に、ビル利用者がＩＤカードをカードリーダへ投入すると（ステップＳ４）、ビルサーバは検出されたＩＤ情報と記憶装置に登録されたＩＤデータとを照合する（ステップＳ５）。照合の結果に基づく処理は、図３の場合と同様である。
【００１５】
図５は、本発明による他の実施例であるセキュリティ管理システムを示す。図５においては、図１と異なるビル内におけるシステム構成のみを示し、図１と同じ構成を有するセンタや通信回線は記載を省略している。図５においては、図１と異なり、ビル内に複数のビルサーバ１が設置され、各ビルサーバにはそれぞれビル内の異なる区域に設けられたカードリーダ２が接続される。さらに、複数のビルサーバは、通信線で接続され、互いにデータ信号を伝送し通信する。本システムによれば、ビル内のある区域で未登録のＩＤカードが使用された場合、他の区域に設置されたビルサーバへ異常信号を伝送することができる。この異常信号に基づき、不審者の侵入があったことを他の区域に対し迅速に警告することができる。なお、設置するビルサーバの台数は、本実施例のように２台に限らず、必要台数を設置することが出来る。
【００１６】
図６は、本発明によるさらに他の実施例であるセキュリティ管理システムを示す。図６においても、図５と同様に、ビル内におけるシステム構成のみを示す。図６においては、ビル１０に、各利用者が共同で利用する共用部１１と、各利用者がそれぞれ占有して利用する専用部１２とが在る。専用部１２においては、図１の実施例と異なり、専用部ごとに第３の情報制御装置である居室用サーバ６を介して、ビルサーバ１とカードリーダ２とが接続される。専用部１２においては、センタから伝送されるＩＤデータなどの情報は、各専用部ごとに居室サーバ６内の記憶装置に登録される。そして、カードリーダ２によって検出されたＩＤ情報と、居室サーバ６内に登録されたＩＤデータとが、居室サーバ６によって照合される。両者が一致すれば、専用部の電気錠が開錠される。本システムは、専用部と共用部で提供されるサービスが異なる場合、例えばマンションなどの集合住宅に好適である。
【００１７】
上記の各実施例において、カードリーダによって検出されるＩＤ情報を逐次、ビルサーバまたは居室用サーバに、入室履歴として記録することができる。また、記録された入室履歴を、所定の時間間隔で、あるいはセンタからの指令により、ビルサーバからセンタへ伝送し、センタのデータベースに登録することができる。
【００１８】
上記の各実施例は、商用ビルや集合住宅など各種のビルに適用できる。また、情報制御装置としては、サーバのみならず、ＰＣ，ワークステーションや専用端末など各種制御装置を用いることができる。さらに、情報制御装置，データベース，カードリーダ相互のデータ伝送は、有線伝送および無線伝送のどちらでもよい。個人識別情報検出装置としては、カードリーダのみならず、指紋検出装置，虹彩検出装置，指静脈検出装置，手形検出装置など各種の検出装置を用いることができる。
【００１９】
上述した実施例に限らず、本発明の技術的思想の範囲内で、様々な変形例が可能である。
【００２０】
【発明の効果】
本発明によれば、ビル内に管理者を置くこと無くセキュリティを管理できるので、セキュリティ管理のコストが低減する。
【図面の簡単な説明】
【図１】本発明の１実施例であるセキュリティ管理システムを示す。
【図２】ビルサーバの記憶装置およびセンタのデータベースに登録された、ビル利用者の個人識別データの一例を示す。
【図３】図１のシステムにおいて実行される、本発明によるセキュリティ管理方法の一例のフローを示す。
【図４】図１のシステムにおいて実行される、本発明によるセキュリティ管理方法の他の例のフローを示す。
【図５】本発明による他の実施例であるセキュリティ管理システムを示す。
【図６】本発明によるさらに他の実施例であるセキュリティ管理システムを示す。
【符号の説明】
１…ビルサーバ、２…カードリーダ、３…記憶装置、４…センタサーバ、５…データベース、６…居室用サーバ、１０…ビル、２０…センタ、１００…通信回線、２００…ビルサーバ間通信線。
【図１】
2004265158.tif 000003
【図２】
2004265158.tif 000004
【図３】
2004265158.tif 000005
【図４】
2004265158.tif 000006
【図５】
2004265158.tif 000007
【図６】
2004265158.tif 000008